Podtech/llm-jp-corpus-v4-ja_patent huggingface dataset:
(57)【要約】      （修正有）【課題】有機ＥＬ照明と発光ダイオード（ＬＥＤ）を備えた安全ヘルメットにおいて、ヘルメットの軽量化と作業への負担をかけないヘルメットを提供する。【解決手段】ヘルメット１の前面に有機ＥＬ照明２、両側面に発光ダイオード（ＬＥＤ）３Ａ，３Ｂを備えた。また、震災時にはヘルメット１の内部の頭頂部に配置した振動センサーにより自動的に有機ＥＬ照明２が点灯するようになる。有機ＥＬ照明２には、カバーガラスがつけられており、これによって雨や風があたっても大丈夫なようになっている。【選択図】図１
0003149340.tif 000002
【実用新案登録請求の範囲】
【請求項１】
前頭部に有機ＥＬ照明を備え、両側面に発光ダイオード（ＬＥＤ）を備えたことを特徴とする作業用安全ヘルメット。
【考案の詳細な説明】
【技術分野】
【０００１】本考案は、災害時等に使用する照明付き安全ヘルメットに関するものである。
【背景技術】
【０００２】  地震等の災害時に、暗闇での救出作業にはヘルメットにライトを装着、または懐中電灯によって足元を照らし、作業をしていた。
【特許文献１】特許公開２００５−２６４３８８
【考案の開示】
【考案が解決しようとする課題】
【０００３】  しかしながら、従来のヘルメットライトは重く大きいことから作業中の負担になるという欠点があった。また、輝度が少ないことで、相手から見ると自分の位置がわからないという点も問題である。
本考案は、上記のような課題に鑑み、その課題を解決すべく創案されたものであって、その目的とするところは、軽量で作業の邪魔にならない照明を取り付けたヘルメットを提供することにある。
【課題を解決するための手段】
【０００４】  本考案は、発光ダイオード（ＬＥＤ）と有機ＥＬ照明を配置してなる安全ヘルメットにおいて、有機ＥＬ照明の特徴である薄く明るいという利点を利用し、ヘルメットライトとして活用することで、軽量化とライトの厚さを薄くさせることを実現し、上記課題を解決するものである。
【考案の効果】
【０００５】  地震が発生した際、振動センサー７が反応し、センサーによって有機ＥＬ照明２が点灯することで、暗闇でもヘルメットを見つけることができる。【０００６】  しかも、両脇に装着されている発光ダイオード３を点灯させると、細かい部分をしっかりと照らす効果がある。また、有機ＥＬ照明は広範囲を照らすことができるという効果がある。【０００７】  有機ＥＬ照明は薄く軽いという特徴があり作業の邪魔にもならず、輝度が高いため暗闇でも相手に自分の位置を把握させる効果がある。【０００８】  さらに有機ＥＬ照明はエネルギー効率が良いため、非常に長持ちである。
【実施例】
【０００９】  本考案の実施形態について図面を参照して説明する。安全ヘルメット１は有機ＥＬ照明２と両側面には発光ダイオード３が取り付けられている。有機ＥＬ照明２はカバーガラス６に覆われている。【００１０】  内部には振動センサー７が取り付けられている。また、後方部に電源５が取り付けられており、側面には発光ダイオードのスイッチ４が取り付けられる。
【図面の簡単な説明】
【００１１】
【図１】ヘルメットの外観図である。
【図２】ヘルメットの断面図である。
【符号の説明】
【００１２】    １、ヘルメット
２、有機ＥＬ照明
３、発光ダイオード（ＬＥＤ）
４、発光ダイオードスイッチ
５、電源
６、カバーガラス
７、振動センサー
【図１】
0003149340.tif 000003
【図２】
0003149340.tif 000004
(57)【要約】      （修正有）【課題】既に大衆化されている健康回復用湿布に低放射線を発する岩石を粉末または粒状、または固形状にして混入付着、または貼付して使用する事によって健康悪化の症状をより早く、より効果的に回復させうる健康商品を提供する。【解決手段】健康回復用湿布に低放射線ホルミシス（低放射線を放出する岩石等から粒状又は粉末状、固形状に加工し自然界と同等に放射線を放出すようにした加工品）を従来の健康回復用湿布の湿布面に付着させたことを特徴とする健康回復用湿布商品である。【選択図】図３
0003149338.tif 000002
【実用新案登録請求の範囲】
【請求項１】
健康回復用湿布に低放射線ホルミシス（低放射線を放出する岩石等から粒状又は粉末状、固形状に加工し自然界と同等に放射線を放出すようにした加工品）を従来の健康回復用湿布の湿布面に付着させた健康回復用湿布商品
【考案の詳細な説明】
【技術分野】
【０００１】  本考察は、既に考案、実用化させている健康回復用の湿布または貼付品に自然界に存在し、低放射線を発する岩石を粒状又は粉末、固形状にして湿布面に付着又は貼付、又は面状化しサンドイッチ状に加工した商品
【背景技術】
【０００２】  従来の健康回復用湿布は、それ相応に単独で健康回復の用に対応している。
放射線を発する岩石は低放射線であれば生物の健康に有益である。
この岩石を粒状又は粉末、固形面状に加工して従来品に再加工する事の技術【０００３】本考察は、既に利用されていた健康回復用湿布に新たに低放射線ホルミシス発生の岩石を粒状又は粉末、または固形状にして、従来の湿布面に利用する事によって、健康回復という同目的を数倍にも効果を期待できる事のために考案された製品で、従来の効果を高揚する為に考案された製品
【本考察が解決しようとしている課題】
【０００４】高齢化社会における予防医学への貢献と、国家の保健制度への貢献
【０００５】  健康を願う多くの人々への希望と喜びを与えうる事への期待。
本考察は、上記のような諸問題を解決するために考案された商品。
【課題を解決するための手段】
【０００６】  上記目的を達成する為に、本考察は以下のような技術的手段を講じる。
従来既に製品化されている健康回復用湿布に低放射線ホルミシス岩石を粒状又は粉末、又は固形状にて加工した商品を従来品に貼付等に応用した商品
【考察の効果】
【０００７】本健康回復用湿布を使用する事によって、従来の諸回復の速度や効力がより鮮明に期待できる
【考察を実施するための最良の形態】
【０００８】体調不良の状態を早急に察知し、その患部に本考察において説明された商品を適切に湿布する
【実施例】
【０００９】  足、腰、肩等の炎症箇所等に貼付する
【図面の簡単な説明】
【００１０】
【図１】本考察に係わる従来の湿布商品斜視図
【図２】本考察に係わる低放射線発生岩石の粒状又は粉末斜視図
【図３】本考察に係わる双方混合の斜視図
【符号の説明】
【００１１】  １    ・・  湿布薬全面
２    ・・  湿布薬貼付面
３    ・・  湿布薬全面カバ−ラップ
４    ・・  貼付面
５    ・・  ツボ当用電磁石
６    ・・  天然低放射線発生岩石
７    ・・  天然低放射線発生岩石粉砕加工石
８    ・・  天然低放射線発生岩石粉砕加工マット
９    ・・  天然低放射線発生岩石マット切り出し円形小型マット
１０    ・・  保護ラップ
【図１】
0003149338.tif 000003
【図２】
0003149338.tif 000004
【図３】
0003149338.tif 000005
(57)【要約】      （修正有）【課題】安定的に固定された状態で、簡易にゴルフボールにマーキングが可能であり、ボールの出し入れも容易であるゴルフボール用マーキング器具を提供する。【解決手段】半球形の内部空間を有する半球形１ａ，１ｂ一対で構成され半球形１ａ，１ｂを接続する丁番２を設けるとともに各半球形１ａ，１ｂを係止する止め具３ａ，３ｂを設け１ａ，１ｂの内部にゴルフボールを収納、１ａ、１ｂを固定しスリット４ａ等の部分、又くり抜いて自由にデザインされたくり抜き部分５に添ってゴルフボールへマーキングをする。【選択図】図３
0003149336.tif 000002
【実用新案登録請求の範囲】
【請求項１】
ゴルフボールの表面に種々のラインや文字数字、図形を描くために使用されるゴルフボール用マーキング器具であって、半球形の内部空間を有する器一対で構成され、各器を接続する丁番部を設けるとともに、各器を係止する止め具を設け、開閉可能に形成され各器の器部をくり抜いて設けられているライン、文字、数字、図形を備えている事を特徴とするゴルフボール用マーキング器具
【請求項２】
半球形の器部を透明性を有することを特徴とする請求１に記載のゴルフボール用マーキング器具
【請求項３】
請求１、請求２に記載のマーキング器具でライン、文字、数字、図形、のくり抜き部分が、それぞれ単独または、それぞれが自在に組み合わせて設けられたことを特徴とするゴルフボール用マーキング器具
【考案の詳細な説明】
【技術分野】
【０００１】本考案はゴルフボールを安定的に固定しゴルフボールの表面にライン、文字数字，図形を簡易な方法でマーキングしオリジナルデザインのボールを作成する器具に関するものである。
【背景技術】
【０００２】ゴルフボールは人気メーカーの同一種類のボールが数多く使用されていた、ゴルフではティーショットやパッティングの際のスイング方向は非常に重視されている，市販のボールに刻印されているロゴやマーク又はヒットラインを目しるしにスイング方向の目安としていた。【０００３】他人のボールと区別することを目的にマークや、又スイング方向ラインをフリーハンドや直定規でゴルフボールに描いていた
しかしフリーハンドや直定規でのマーキングはボールがずれてラインやマークを描く事が困難であり又ゴルフボールに刻印されているロゴ、マークは小さく他のボールと一目では区別しにくかった。
【考案の開示】
【考案が解決しようとする課題】
【０００４】本考案は上述の欠点を解決するためゴルフボールが安定的に固定された状態で、簡易にゴルフボールにマーキングが可能であり、ボールの出し入れも容易であるゴルフボール用マーキング器具を提供することを課題とする。
【課題を解決するための手段】
【０００５】本考案は簡易にゴルフボールの表面に、種々のラインや文字図形を描く器具に関するもので、本考案は半球形の内部空間を有する器一対で構成され、各器を接続する丁番部を設けると共に、各器を止める係止部を設け半球形の器を、開閉可能に形成し、器部にスリットやライン、文字数字、図形がくり抜かれていて、器内部にゴルフボールを収納し、マーキングをする事を特徴とする。
【考案の効果】
【０００６】本考案によりゴルフボールが安定して保持され、マーキングの位置がずれることがなく種々のライン、文字数字、図形を容易に描く事が出来ると共に、ゴルフボールを容易に出し入れ出来るマーキング器具を提供する。
【考案を実施するための最良の形態】
【０００７】プラスチック等適宣素材にて、半球形の内部空間を有する器を対向して設け丁番にて接続する、丁番を基点に器を開閉し内部空間にゴルフボールを収納し器を閉鎖し、止め具にて係止し、器部に設けられたスリットやライン文字数字、図形をくり抜きされた型に添いマーキングをする。
【実施例】
【０００８】以下添付図面に従って、実施例を説明する。図１は、本考案の器を開いた状態の斜視図である。図２は、本考案の器を閉じた状態の斜視図である。１ａ，１ｂは樹脂性素材で半球形、内部空間を有する形状で、ライン、文字、数字、図形をくり抜いた器である。２は、１ａ，１ｂを接続する丁番である。３ａ，３ｂは，開閉可能に係止する止め具である。１ａ，１ｂを閉鎖した内径は、ゴルフボールの外径寸法とし、１ａ，１ｂを開き内部に５のゴルフボールを入れ、１ａ，１ｂを閉鎖し、３ａ，３ｂの止め具で係止し、４ａ，４ｂのスリット又は５のくり抜部に添ってマーキングをする。【０００９】１ａ，１ｂの器は透明である樹脂で形成されており、内部に収納されたゴルフボールのマーキングする位置が容易に確認できる。３ａ，３ｂで係止され安定的に固定されたゴルフボールは、４ａのスリットでゴルフボール表面にほぼ一周にラインを描く事ができ、４ａに直交する方向の４ｂのスリットも、５のくり抜き部分も自由にライン、文字、数字図形等がデザインができ、変形する事もなく描く事ができる。【００１０】以上の実施例による本考案の説明は、本考案の範囲を制限するものではない、本考案具体例の様々な変化や修正は、全て本考案の範囲とする。
【図面の簡単な説明】
【０００１１】
【図１】  実施例の半球形の器を開いた斜視図
【図２】  実施例の半球形の器を閉じた斜視図
【図３】  実施例の半球形の器を閉じた側面図
【図４】  実施例の半球形の器を閉じた断面図
【符号の説明】
【００１２】１ａ  半球形状の内部空間を有する器
１ｂ  半球形状の内部空間を有する器
２    丁番
３ａ  止め具
３ｂ  止め具
４ａ  スリット部分
４ｂ  ４ａに直交するスリット部分
５    くりぬいた部分
６    ゴルフボール
【図１】
0003149336.tif 000003
【図２】
0003149336.tif 000004
【図３】
0003149336.tif 000005
【図４】
0003149336.tif 000006
(57)【要約】      （修正有）【課題】幼児が弁当を食べる際に自分で楽しく容易におかず表面にマヨネーズやケチャップのソースにより絵等を描くことができる食材の注出具を提供する。【解決手段】プラスチックフィルムよりなり、一端部が先細りなって閉じるとともに他端部が開放する筒構造で、前記他端部からソース等の食材が注入されて膨らむことで、その全体が前記一端部を筆記端とする筆記具の形態を呈することを特徴とする食材の注出具である。【選択図】図４
0003149369.tif 000002
【実用新案登録請求の範囲】
【請求項１】
プラスチックフィルムよりなり、一端部が先細りなって閉じるとともに他端部が開放する筒構造で、
前記他端部からソース等の食材が注入されて膨らむことで、その全体が前記一端部を筆記端とする筆記具の形態を呈する、
ことを特徴とする食材の注出具。
【請求項２】
前記筆記端となる部分に前記食材の注出口を形成するための切り取りガイド部が設けられてなる請求項１記載の食材の注出具。
【考案の詳細な説明】
【技術分野】
【０００１】  この考案は、マヨネーズやケチャップ等のソース、さらにはクリーム等の食材の注出具に関する。
【背景技術】
【０００２】  幼児用の弁当等の場合、ハンバーグやたまご焼きの表面にマヨネーズやケチャップ等のソースにより動物の絵やメッセージを描くことが行われ、これにより、お弁当を楽しく食べることができるようにしている。
【考案の開示】
【考案が解決しようとする課題】
【０００３】  しかしながら、そのようにおかず表面に絵を描いたりした場合、弁当を持ち運ぶ際にその絵が崩れてしまつて分からなくなり、かつ、弁当内が汚れてしまうこととなる。一方幼児は自分でそのような絵を描いてみたいという願望を持っている。【０００４】  この考案は上記の事情に鑑みて行ったもので、幼児が弁当を食べる際に自分で楽しく容易におかず表面にマヨネーズやケチャップのソースにより絵等を描くことができるようにすることを目的とする。
【課題を解決するための手段】
【０００５】  この考案では、プラスチックフィルムよりなり、一端部が先細りなって閉じるとともに他端部が開放する筒構造で、前記他端部からソース等の食材が注入されて膨らむことで、その全体が前記一端部を筆記端とする筆記具の形態を呈することを特徴とする食材の注出具を提供する。【０００６】  上記構成の食材の注出具を用いることで、筆記具を使用するのと同様にしておかず表面等にソース等の食材を注出して絵や文字を描くことができ、その作業が楽しく容易に行える。筆記具形態としては、エンピツ、ボールペン、万年筆、筆等の適宜の形態が適用される。内部に注入される食材としては、マヨネーズやケチャップ等のソースの他に、パンやケーキに付する各種クリーム等も使用できる。【０００７】  筆記端となる部分に注出口形成用の切り取りガイド部を設けておくことで、注出に際して筆記端となる部分に適正な大きさの注出口を容易に設けることができ、とくに、大小の注出口を形成できるように切り取りガイド部を２個設けることで、注出口を所望の大きさとして字や絵を描くことができ便利となる。
【考案の効果】
【０００８】  この考案の食材の注出具によれば、幼児が弁当を食べる際に自分でおかず表面にマヨネーズやケチャップのソースにより絵等を楽しく容易に描くことができるようになる。また、パンやケーキにクリームによる絵等を楽しく容易に描くことができるようになる。
【考案を実施するための最良の形態】
【０００９】  図１はこの考案の食材の注出具の正面図、図２は注出具の長手方向の断面図である。注出具１は２枚のプラスチックフィルム２、２の重ね構造で、基端部（他端部）４を除く周縁部５が連続して  圧着されることで、全体が基端部４のみが開口する筒構造となっている。先端部６（一端部）は先細り形状とされ、そのフィルム２、２の両表面には鉛筆形態図柄８が印刷形成されている。１０、１１は注出口形成用の切り取りガイド部である。【００１０】  以下、図３、図４を参照して上記注出具１の使用について説明する。注出具１は家庭において内部にマヨネーズやケチャップのソースが注入され、その状態において弁当とともに持ち運ばれ、弁当を食する際にその内部のソースが弁当のおかず等の上に注出されるように用いられる。【００１１】  注出具１内へのソースＳの注入は、図３に示すようにソース容器２０の注入先端部２１を基端部４の開口部１２から差し入れて行い、その後に輪ゴム２３等によりその開口部１２を閉じる。注出具１はソースＳが注入されることで膨らみ全体が鉛筆形態を呈するものとなる。そのように鉛筆形態となった注出具１の先端部６の先端７を切り取りガイド部１０、１１のどちらか一方の位置で切り取って注出口９を形成し、手Ｈで鉛筆のように持って少し注出具１を締め付けて注出口９から搾り出すようにしてソースＳをおかずであるハンバークＢ上に注ぎ、かつ、所望の絵Ｐ等を描く。上記において、大きな注出口９を形成する場合には切り取りガイド部１１位置で、小さな注出口９を形成する場合には切り取りガイド部１０位置で先端７を切り取る。注出具１は一度の使用により使い捨てもよく、また、クリップ等により注出口９を閉じることで再使用することもできる。【００１２】  図５は注出具１の製作を説明する図であり、注出具１はそれぞれの間に切り離し線１０１が設けられた状態において連続体１００として一体に製作され、その切り離し線１０１で切り離されることで分離されて使用される。注出具１は連続体１００として、また、予め分離された状態として製品提供される。
【図面の簡単な説明】
【００１３】
【図１】  この考案の注出具の実施形態の正面図
【図２】  この考案の注出具の実施形態の長手方向の断面図
【図３】  この考案の注出具の実施形態の使用説明図
【図４】  この考案の注出具の実施形態の使用説明図
【図５】  この考案の注出具の製作説明図
【符号の説明】
【００１４】  １    注出具
２    プラスチックフィルム
４    基端部（他端部）
６    先端部（一端部）
１０  切り取りガイド部
１１  切り取りガイド部
Ｓ    ソース
【図１】
0003149369.tif 000003
【図２】
0003149369.tif 000004
【図３】
0003149369.tif 000005
【図４】
0003149369.tif 000006
【図５】
0003149369.tif 000007
(57)【要約】【課題】  香の扱い方についてのもので、携帯しながら香気を拡散することで、消臭効果、芳香効果を得、また加えて、引っ掛けたり置いたりした状態での自然放散で、生理作用、心理作用を得る香気放散器の提供。【解決手段】  香料を入れた香気発生容器を、首飾り様に加工した導管に接続しこれを首に掛け装着すると、当該容器から香気が放出し、体温により温まった状態で着衣内を上昇し、当該導管に入った香気も上昇、共に外部に拡散し、また、首飾り様のため引っ掛ける等での自然放散も選択可能にして課題を解決した。【選択図】図１
0003149363.tif 000002
【実用新案登録請求の範囲】
【請求項１】
中空状態を確保でき、柔軟性ある素材でできた導管を、首飾り様の環状に加工したものを、香気発生容器の蓋に取り付けた放出口がある放出管の導管接続部に接続し、首に掛け装着時、当該導管の接する肌面等に近い位置の管壁に、適数個の放散口を穿ったことを特徴とする首飾り型香気放散器。
【考案の詳細な説明】
【技術分野】
【０００１】  本考案は、香料の香気放散方法に関するものである。
【背景技術】
【０００２】  香りについては歴史が古く、その香料の濃度により香水からオーデコロンまで数種類に大きく分けられているが、好みは十人十色、千差万別で、それに合わせるように香りの変化も多岐に亘っている。
また、その効果・作用についても、消臭効果・芳香効果から始まって、科学技術の進歩に合わせるように抗菌効果、生理作用、心理作用、ストレス解消の研究へと嗅覚に訴えるものだけに奥の深いものがある。
しかし、使用方法・扱い方については、肌につける、衣服に付ける、また、空気中に放散したり噴霧状態で吹き付ける程度の方法しかない。
【考案の開示】
【考案が解決しようとする課題】
【０００３】  本考案は、香の扱い方についてのもので、携帯しながら香気を拡散し、消臭効果、芳香効果を得、また加えて、引っ掛けたり置いたりした状態での自然放散で、生理作用、心理作用を得る香気放散器の提供。
本考案は、以上の解決を課題とする。
【課題を解決しようとするための手段】
【０００４】  本考案は、この課題に対して、香料を仕込んだ香気発生容器を、首飾り様に加工した導管に接続し、これを首に掛け装着すると、身体に接した当該容器から香気が放出し体温により温まった状態で着衣内を上昇し、当該導管に入った香気も上昇、放散口等より外部に拡散し、また、首飾り様のため、引っ掛けたり移動させたりと場所を自由に選んで自然放散もできるようにして課題を解決した。
【考案の効果】
【０００５】  本考案は、首飾り様に加工した導管を首に掛け、香気発生容器を体表面に近い部分に保持すると、当該容器より放出した香気が該容器周辺の隙間に広がり温められ、当該導管に入った香気と共に上昇し、放散口等より外部に出て拡散、この時芳香効果が、また、身体を動かすことにより首周り等体表面より出る体臭と混ざり合うと消臭効果を発揮する。
比較的動きの少ない部屋内での場合は、香りに対して対外的な対策より自分本位の香料を選択し、香気発生容器を着衣の外にだした状態で動くことにより香気もより多く放出・拡散されて芳香効果が出また、着座している時等には、首から外し台上に置くとか引っ掛ける等しておけば放散した香気を楽しむことができ、心理作用・ストレス解消にその効果を大いに発揮することができる。
【考案を実施するための最良の形態】
【０００６】  以下、本考案の実施の形態を説明する。
中空状態を確保でき、柔軟性ある素材でできた導管１を首飾り様に環状に加工したものを香気発生容器３の蓋４に取り付けた放出口６のある放出管５の導管接続部７に接続し、首に掛けて装着時、当該導管１に接する肌面等に近い位置の管壁に適数個の放散口２を穿つ。
香気発生容器３については、選択する香材により香気発生手順が変わるため、固形、練り状、液体等使用の香料により該容器３の大きさ、構造等もそれに合わせたものにする。
本考案は、以上の構成よりなっている。
本考案を使用するときは、環状の導管１を首に掛け、香料を仕込んだ香気発生容器３を着衣の内側に保持すると発生した香気の経路の一つは、放出管５より当該導管１に入り上昇し、各放散口２より外部に拡散し、もう一つの経路は当該放出管５の放出口６よりのものでこれは直接体温に接し、着衣内に広がりながら、また、該導管１周りの隙間に沿って上昇し外部に拡散する。
拡散した香気は、芳香効果があり合わせて、周辺の体臭と混ざり消臭効果を発揮することになる。
本考案を装着せず部屋内等で休んでいる場合は、引っ掛けたり吊り下げたりして身近に置くことで、芳香効果と共に心理作用、ストレス解消を計ることができる。
また、年齢が加わることによる加齢臭対策についても、首に掛けての装着の他居住空間に置き、選択した香材による香気を満たすことにより、本人はもとより介護人等に対しても消臭効果、抗菌効果と共に良い生理作用も与えることになる。
【図面の簡単な説明】
【０００７】
【図１】本考案の斜視図
【符号の説明】
【０００８】  １  導管
２  放散口
３  香気発生容器
４  蓋
５  放出管
６  放出口
７  導管接続部
【図１】
0003149363.tif 000003
(57)【要約】      （修正有）【課題】化学繊維による長繊維を撚り合わせた糸で編んだものを研磨材として使用し、直接、弾性板に固着させることで、糸埃が発生しにくく、かつ被研磨面を傷つける事が少ない研磨バフを提供する。【解決手段】研磨材２はアクリル繊維を撚り合わせた糸で円形に編んだ編物。弾性板４の片面に、直接上記研磨材２を接着剤で固着する。研磨材２の側面が研磨面３となる。弾性板４の研磨材２の反対側の面に面ファスナー５を接着剤で固着する。以上により、研磨バフ１を構成する。【選択図】図１
0003149362.tif 000002
【実用新案登録請求の範囲】
【請求項１】
弾性材による弾性板の片面に研磨材を固着させた研磨バフにおいて、化学繊維による長繊維を撚り合わせた糸で編んだものを研磨材とした研磨バフ。
【考案の詳細な説明】
【技術分野】
【０００１】  本考案は、金属その他の加工面や塗装面等の研磨、艶出しの際に使用される、研磨バフに関する。
【背景技術】
【０００２】  従来の研磨バフにおいては、ウールバフ、コットンバフ、スポンジバフ等があるが、スポンジバフ以外は研磨材として、全て天然繊維を使用している。
天然繊維は絹糸以外全て短繊維であり、これを撚り合わせて糸にしている。このため、作業中に短い繊維が抜け落ち、空中に浮遊し環境上好ましくない。
また、研磨作業場の近くで塗装作業が行われている例も数多くあり、塗装面に糸埃が付着して、悪影響を及ぼす場合が多々ある。
また、従来の研磨バフでは、研磨材を固着させるために、芯布を使用している。この芯布が被研磨面に接触し被研磨面を傷つける事が多々ある。
【考案の開示】
【考案が解決しようとする課題】
【０００３】  糸埃が発生しにくい研磨バフを提供することを目的とした。
【課題を解決するための手段】
【０００４】  本考案においては、アクリル繊維で円形に編んだものを弾性板に固着させ、研磨材とした。
【考案実施の形態】
【０００５】  本考案は、金属その他の加工面や塗装面等の研磨、艶出しのための作業用具として使用する。
【実施例】
【０００６】  図１及び図２において、研磨材（２）はアクリル繊維を撚り合わせた糸で円形に編んだ編物。
弾性板（４）の片面に、直接上記研磨材（２）を接着剤で固着する。
研磨材（２）の側面が研磨面（３）となる。
弾性板（４）の研磨材（２）の反対側の面に面ファスナー（５）を接着剤で固着する。
以上により、本考案の研磨バフ（１）を構成する。
図３において、従来の研磨バフ（６）では天然繊維を撚り合わせた糸によって作られた研磨剤（７）を芯布（８）に縫い付けられており、この芯布（８）を研磨剤（７）と共に弾性板（９）に接着剤により固着させている。
弾性板（９）の研磨剤（７）と反対側には、面ファスナー（１０）が、接着剤により固着されている。
図４において、研磨バフは電動工具あるいは空圧工具に取り付けて、回転させて研磨するため、従来の研磨バフ（６）では、回転する事により、研磨剤（７）は糸の端面ではなく側面が被研磨面（１１）に接触して被研磨面（１１）を研磨している。
天然繊維では絹糸以外は短繊維であり、研磨バフに絹糸が使われたものはない。
従来の研磨バフ（６）は、全て天然繊維である。
このため、使用時に研磨剤（７）の側面が被研磨面（１１）に接触し回転する事により、繊維を抜き取る方向に力が作用するため、短繊維が抜け落ちる。
このため、抜け落ちた短繊維が糸埃となり、空中に浮遊し環境衛生上好ましくない。
また、近くで塗装作業等が行われていると、塗装面に糸埃が付着し悪影響を及ぼす。
【考案の効果】
【０００７】  本考案は前記の様に、天然繊維による短繊維ではなく、化学繊維による長繊維を撚り合わせた糸で編んだものを研磨材としているため従来の研磨バフに比べ、糸埃が発生しにくいため、環境が向上すると共に、近くで行われている他の作業への影響が著しく減少する。
また、本考案による研磨バフにおいては、芯布を使用せず、研磨材を直接弾性板に固着させているため、被研磨面を傷つける事がない。
【図面の簡単な説明】
【図１】  本考案による研磨バフの側面断面図。
【図２】  本考案による研磨バフの平面図。
【図３】  従来の研磨バフの側面断面図。
【図４】  従来の研磨バフ研磨剤の使用状態を説明する図
【符号の説明】
１    研磨バフ
２    研磨材
３    研磨面
４    弾性板
５    面ファスナー
６    従来の研磨バフ
７    研磨材
８    芯布
９    弾性板
１０  面ファスナー
１１  被研磨面
【図１】
0003149362.tif 000003
【図２】
0003149362.tif 000004
【図３】
0003149362.tif 000005
【図４】
0003149362.tif 000006
(57)【要約】      （修正有）【課題】贈り物をするときに添える一般的なメッセージの焼き印を押した、贈る人の気持ちをより伝えることができかつ持ち運びがしやすいロールケーキを提供する。【解決手段】ロールケーキの表面に「いつもありがとう」など贈り物をするときに添える一般的なメッセージの焼き印を押す。ロールケーキの表面にメッセージの焼き印を押すことによりプレートに表示する方法にくらべ字を大きく表示することができ、見た目のインパクトやユニーク性が強いことから贈られる人に贈る人の気持ちより伝えることができる。また、プレートを乗せたロールケーキにくらべて持ち運びが容易であることから気軽な贈答品やおみやげとしてより選択されやすくなる。【選択図】図１
0003149368.tif 000002
【実用新案登録請求の範囲】
【請求項１】
表面にメッセージの焼き印が押されていることを特徴とするロールケーキ。
【考案の詳細な説明】
【技術分野】
【０００１】  本考案は、表面にメッセージの焼き印が押されたロールケーキの製造に関するものである。
【背景技術】
【０００２】  従来はロールケーキの表面にケーキ店のロゴや屋号の焼き印を押していた。【０００３】  従来はロールケーキを贈答品やおみやげとして利用する際に贈る人の気持ちを伝える手段として、メッセージが表示されたチョコレートやクッキーのプレートなどを用意してロールケーキに乗せる、メッセージカードにメッセージを記入して添える、などの方法が行われていた。
【考案の開示】
【考案が解決しようとする課題】
【０００４】  ロールケーキの表面にケーキ店のロゴや屋号の焼き印を押した場合、ケーキ店の宣伝になっても贈る人の気持ちやメッセージを伝えることはできない。【０００５】  メッセージが表示されたチョコレートやクッキーのプレートなどを用意してロールケーキに乗せる方法の場合、ケーキより落下することがあるため持ち運びに慎重を要する。また、プレートに表示するメッセージは字が小さくなりがちである。【０００６】  メッセージカードにメッセージを記入してロールケーキに添える方法の場合、ロールケーキを用意する以外の手間が必要であり、添えられていることが分かりづらいこともある。また、衛生上の問題が生じることもある。
【課題を解決するための手段】
【０００７】  ロールケーキの表面に「いつもありがとう」など贈り物をするときの一般的なメッセージの焼き印を押す。
【考案の効果】
【０００８】  ロールケーキの表面にメッセージの焼き印を押すことによりプレートに表示する方法にくらべ字を大きく表示することができ、見た目のインパクトやユニーク性が強いことから贈られる人に贈る人の気持ちより伝えることができる。また、プレートを乗せたロールケーキにくらべて持ち運びが容易であることから気軽な贈答品やおみやげとしてより選択されやすくなる。
【考案を実施するための最良の形態】
【０００９】  完成したロールケーキの表面にメッセージの焼き印を押す。
【図面の簡単な説明】
【００１０】
【図１】表面にメッセージの焼き印を押したロールケーキの図
【符号の説明】
【００１１】１  ロールケーキ
２  メッセージの焼き印
【図１】
0003149368.tif 000003
(57)【要約】      （修正有）【課題】パソコン等への文字・語句の入力に際して、視線の移動のみで文字入力状態を確認できるようにした文字入力状態確認モニターを提供する。【解決手段】パソコン等の文字入力装置２に文字入力状態確認モニター１を設ける。これを使用するときは、パソコン等に電源が入った状態で文字を入力しようとすれば、メインモニター３と同調またはメインモニター３に反映される前の入力文字の状態が確認できる。また、語句入力完了と同時に文字入力状態確認モニター１からその語句は消える。【選択図】図２
0003149367.tif 000002
【実用新案登録請求の範囲】
【請求項１】
文字入力装置（２）に設けた、文字入力状態確認モニター（１）。
【考案の詳細な説明】
【技術分野】
【０００１】  この考案は、パソコン等の文字入力装置（２）に文字入力状態を確認するために設けたモニターに関するものである。
【技術背景】
【０００２】  従来、パソコン等の文字入力装置（２）には文字入力状態を確認するものは無かった。
【考案の開示】
【発明が解決しようとしている課題】
【０００３】  これには、次のような問題点があった。
文字入力状態確認モニター（１）が文字入力装置（２）に無い場合では、文字入力する際にパソコン等のメインモニター（３）を確認しながら入力していたため、文字入力が不得手な人は文字・語句を入力する度、確認のため文字入力装置（２）とメインモニター（３）の間で視線を行き来させる必要があり、度重なる頭の上下運動で非常に疲れていた。
本考案は、以上のような欠点を無くすためになされたものである。
【課題を解決するための手段】
【０００４】  パソコン等の文字入力装置（２）に文字入力状態確認モニター（１）を設ける。
以上の構成よりなる文字入力状態確認モニター（１）である。
【考案の効果】
【０００５】  視線の移動だけで文字入力状態を確認でき、頭の上下運動を減らせられる。
設置位置は、文字入力装置（２）の正面または側面で、使用者または製造者の任意の位置でよい。
【考案を実施するための最良の状態】
【０００６】  以下、本考案の実施例について説明する。
パソコン等の文字入力装置（２）に文字入力状態確認モニター（１）を設ける。
本考案は、以上のような構造でこれを使用するときは、パソコン等に電源が入った状態で文字を入力しようとすれば、メインモニター（３）と同調またはメインモニター（３）に反映される前の入力文字の状態が確認できる。
また、語句入力完了と同時に文字入力状態確認モニター（１）からその語句は消える。
なお、本考案のモニターは大きさ・素材・形状は問わず、入力文字の状態を確認できるものであればよい。
【図面の簡単な説明】
【０００７】
【図１】本考案の正面図である。
【図２】本考案の使用中の斜視図である。
【符号の説明】
【０００８】  １、文字入力確認モニター    ２、文字入力装置    ３、メインモニター    ４、手
【図１】
0003149367.tif 000003
【図２】
0003149367.tif 000004
(57)【要約】【課題】  パワーショベルのバケットに、付属品を取り付けることで挟持機能を持たせるとき、その付属品を一人でも楽に取付け及び取り外しができるようにしたパワーショベル用の軽量アタッチメントを提供する。【解決手段】  パワーショベルのアーム１の先端に、バケット３の開口部に相対向して当該開口部の大きさとほぼ同じで、長方形の金属で作った板を組み合わせた枠状の構造としたアタッチメント４を設けた、パワーショベル用の軽量アタッチメント。【選択図】図１
0003149366.tif 000002
【実用新案登録請求の範囲】
【請求項１】
パワーショベルのアームの先端に装備され、油圧などの駆動によってアーム先端で回動するバケットとともに挟持機能を持たせるべく、そのバケット開口部に相対向して設けた着脱可能なアタッチメントであって、アタッチメントの構造はバケット開口部の大きさとほぼ同じで、長方形の金属で作った板を組み合わせた枠状の構造としており、その着脱構造はアーム先端に固着させた固定基材に、アタッチメント基部を上から被せ、その状態で固定基材ボルト穴とアタッチメント基部ボルト穴にボルトを通して、固定することを特徴とするパワーショベル用の軽量アタッチメント。
【考案の詳細な説明】
【技術分野】
【０００１】  本考案は、パワーショベルのアームの先端に、バケットとともに挟持機能を持ち、簡単に取り付けることが可能なパワーショベル用の軽量アタッチメントに関するものである。
【背景技術】
【０００２】  従来、パワーショベルを使用するにあたっては、それぞれの用途や作業環境に応じ、各々の作業に適したバケットをそれぞれ作業毎に交換して使用することが通常行われている。
しかし、これらのバケット等をその用途ごとに交換、使用することは確かに効率的に思えるが、実際現場では一定の作業が連続するケースは少なく、その度ごとにそれに適したバケットへの交換作業が必要であり、この手間により作業能率が鈍ることが多い。
そこで、バケットに付属品を付加することによって、各種の作業に適した機能を追加し、作業効率の向上を図る工夫がなされている。
従来技術としては、付属品をパワーショベルのアームに格納するなど着脱不要としたものや、または着脱可能としたものが公知となっており、いずれもバケットに各種の機能を加えた多目的パワーショベルであり、バケット開口部に相対向する挟持付属品を設けて、バケット本来の機能に加えて、これら挟持付属品とバケットとの相互の開閉動作により、建設資材等を挟み込み、搬送等の作業を可能にしたものである。
【考案の開示】
【考案が解決しようとする課題】
【０００３】  しかしながら、付属品を着脱不要としたものについては、初期設定に手間がかかったり、構造が複雑な為コストも高いなどの問題も多かった。また、付属品を着脱可能としたものにおいても、着脱不要としたものほど問題は少ないが、それでも付属品自体に重量があったりすることで、取付及び取り外しに手間取ったりすることが多かった。
そこで、本考案は以上のような欠点を改良する為になされたものである。
【課題を解決するための手段】
【０００４】  パワーショベルのアームの先端に装備され、油圧などの駆動によってアーム先端で回動するバケットとともに挟持機能を持たせるべく、そのバケット開口部に相対向して設けた着脱可能なアタッチメントである。
上記アタッチメントは、バケット開口部の大きさとほぼ同じで、長方形の金属で作った板を組み合わせた枠状の構造としており、その着脱構造はアーム先端に固着させた固定基材に、アタッチメント基部を上から被せ、その状態で固定基材ボルト穴とアタッチメント基部ボルト穴にボルトを通して、固定するものである。
本考案は、以上の構成よりなるパワーショベル用の軽量アタッチメントである。
【考案の効果】
【０００５】  取り付けるアタッチメントの構造を、長方形の金属で作った板を組み合わせた枠状の構造としているので、これまでより著しく軽量化することができ、一人でも楽に取付け及び取り外しができるなど、その手間を大幅に減少することができ、その使い勝手を向上させることができる。
また、これまでに比べて極めて構造上シンプルであることから、さらに低コストで製造することも可能である。
【考案を実施するための最良の形態】
【０００６】  以下、図面により、本考案を実施する為の最良の形態を説明する。
図１は、本考案のアタッチメントを装着したバケット構造斜視図であって、アーム１先端にバケット３が装着されており、油圧シリンダ２により駆動されてアーム先端を回動する一般的な構造である。このバケット３開口部に相対向するよう設けたアタッチメント４は、アタッチメント基部５とアタッチメント挟持部６からなり、またアーム側にはアタッチメントを装着する為、アタッチメント基部５に対応して金属製の薄い台形の形状をしている固定基材７を溶接等により固着して設ける。
また固定基材とアタッチメント基部には、アタッチメントを装着の際、双方を連結・固定する為、それぞれ相対応するようボルト穴８及び９が設けられている。
実際の装着にあたっては、アーム先端に溶接等により固定された固定基材７に、アタッチメント基部５を上から被せ、ボルト穴８及び９にボルト１０を通し、締結してアタッチメント４を強固に固定する。
本考案は、以上のような構造である。
これを使用するときは、パワーショベルのアーム先端に固定されたアタッチメントと、動作するバケットとの間で様々な建設資材等を挟持し、搬送することに役立てれば良い。
【図面の簡単な説明】
【０００７】
【図１】本考案のアタッチメントを装着したバケット構造斜視図である。
【図２】本考案のアタッチメントを装着したバケット構造側面図である。
【符号の説明】
【０００８】１    アーム
２    油圧シリンダ
３    バケット
４    アタッチメント
５    アタッチメント基部
６    アタッチメント挟持部
７    固定基材
８    固定基材ボルト締結用穴
９    アタッチメントボルト締結用穴
１０  ボルト
【図１】
0003149366.tif 000003
【図２】
0003149366.tif 000004
(57)【要約】      （修正有）【課題】災害時に非常用電源や災害用品を被災者が、より多く利用できるタワーサインを提供する。【解決手段】太陽光発電等による電力で非常用電源を供給している。またその特性から屋外に設置する為、施設の中にいる被災者だけではなく、誰でも利用が可能で、しかも屋内に装備してある非常用電源や災害用品の様に施設の倒壊等の影響はほとんど受けること無く利用できることを特徴とする。【選択図】図１
0003149748.tif 000002
【実用新案登録請求の範囲】
【請求項１】
本体上部にソーラーパネルによる発電装置を設け、サイン用照明とは別に非常用電源として外部用防水コンセントを設けたことを特徴とするタワーサイン。
【請求項２】
請求項１記載のタワーサインに格納機能を持たせ、防災用品等を装備したことを特徴とするタワーサイン。
【請求項３】
請求項１記載のタワーサインに格納機能を持たせ、ＡＥＤ心臓救命装置を装備したことを特徴とするタワーサイン。
【請求項４】
請求項１〜３のいずれかに記載のタワーサインに協賛企業の広告スペースを設けたことを特徴とするタワーサイン。
【考案の詳細な説明】
【技術分野】
【０００１】
本考案は、ソーラー発電等により災害時にライフラインが絶たれたときの電力供給源として機能する非常用電源装置を備え、また被災者が利用する災害用品等の格納機能も備えたタワー形サインに関する。
【背景技術】
【０００２】
一般的な避難場所誘導サインなどは、商用電源やソーラー発電などからの照明機器により表示面を照らしているか表示面が発光している物で、被災者を避難場所へ誘導すると役割は終わってしまう。
【０００３】
そこで、照明機器とは別に外部用防水コンセントを設けることで、非常用電源を供給する。
【０００４】
また、格納スペースに消火器・発電式懐中電灯・非常用トイレ・担架・ＡＥＤ心臓救命装置などを装備する。  
【０００５】
その他、協賛企業の広告媒体としても利用できる。  
【考案の概要】
【考案が解決しようとする課題】
【０００６】
解決しようとする問題点は、サイン表示面を照らしている照明機器の他に、被災者が利用できるような電源を作ることと、それぞれに必要な電力を確保する点である。
【０００７】
また格納してある災害用品やAED心臓救命装置を被災者が、より多く利用できるようにする事である。
【０００８】
本考案は本来、使用されない事つまり災害等が起こらない事が望ましいが、いつ起こるか分からない災害等に備え、定期メンテナンス等が必要である。そのメンテナンス等のコストを抑える事である。
【課題を解決するための手段】
【０００９】
蓄電装置から照明機器とは別に制御回路を使い外部用防水コンセントを作ることで、被災者が充電切れの防災用具等の充電や携帯電話による災害用伝言ダイヤルを使用することが出来る。
【００１０】
ソーラーパネル等を調整器具により、本体の避難場所表示面とは別の方角へ向けることで、効率的に電力を取り入れる。照明器具はＬＥＤなどを使用し消費電力を抑え、発電装置及び蓄電装置は大型の物にし、蓄電量を上げることで電力量を安定させる。
【００１１】
災害用品格納庫の出入り口や災害用品を保管している施設の倒壊で災害用品やAED心臓救命装置を使用できなくなる事の無い様に屋外に設置することを特徴としている。
【００１２】
協賛企業を募り本体に掲載することで、スポンサー掲載料又は広告料でメンテナンス等の費用を軽減する。
【考案の効果】
【００１３】
本考案は、災害時に被災者を避難場所へ誘導し、その後の商用電源の供給が戻るまで非常用電力を供給すると共に、災害時に必要な災害用品を提供することで被災者を救済する。
【図面の簡単な説明】
【００１４】
【図１】図１は本体正面図である。
【図２】図２は本体側面図である。
【図３】図３は本体裏面図である。
【図４】図４は回路図である。
【考案を実施するための形態】
【００１５】
図１の本体上部に搭載のソーラーパネル１等で太陽光などを取り入れ図５の回路図で表した様にコントローラー１１からタイマー１２を経てＬＥＤ照明２等を設け、また内蔵バッテリー７を経て外部用防水コンセント３を設けている。
【００１６】
図３の下部の格納庫小１０に消火器等を装備し、上部の格納庫大９には発電式懐中電灯・非常用トイレ・担架などを装備し、図１下部にＡＥＤ心臓救命装置６も装備する。
【００１７】
図１の避難場所表示板４では避難場所の方向と距離を示し、避難場所周辺地図５には現在位置から避難場所までの周辺地図を入れる。また、どちらも協賛企業の広告スペースにすることも出来る。
【符号の説明】
【００１８】
１    ソーラーパネル
２    LED照明器具
３    外部用防水コンセント
４    避難場所表示板又は広告スペース
５    避難場所周辺地図又は広告スペース
６    AED心臓救命装置
７    内蔵バッテリー
８    調整器具
９    格納庫大
１０    格納庫小
１１    コントローラー
１２    タイマー     
１３    インバータ
【図１】
0003149748.tif 000003
【図２】
0003149748.tif 000004
【図３】
0003149748.tif 000005
【図４】
0003149748.tif 000006
(57)【要約】      （修正有）【課題】カメラが雨水に濡れることを防ぎ、また両方でカメラを操作できる傘を提供する。【解決手段】カメラを使用しての撮影時に雨を防御し少しの雨なら撮影を可能にするとともにカメラへの雨水浸入による故障を防ぐカメラの傘で、傘は通常雨天時に人が使用する傘を小型化したもので、金属の骨組に防水布やビニールを組み合わせたもので傘の直径は２０ｃｍ程度で通常の傘と同様に折りたためる物であり、この傘をカメラに取り付ける手段はカメラの三脚取り付け用のネジ部を利用し固定する。【選択図】図１
0003149780.tif 000002
【実用新案登録請求の範囲】
【請求項１】
カメラ・デジタルカメラの撮影時に雨を防御し少しの雨なら撮影を可能にするとともにカメラの雨水浸入による故障を防ぐカメラの傘。
【考案の詳細な説明】
【考案の詳細な説明】
【技術分野】
【０００１】  本考案はすべてのカメラに使用でき、カメラを雨水浸入による故障から守るものであり、またレンズの水滴付着を防ぐもの。
【背景技術】
【０００２】  雨天時の撮影は雨傘をさしたり、雨の止むのを待って撮影をするしかない。片手で雨傘を持ち他方の片手でカメラを操作するのはかなり困難であり、手振れして鮮明な画像は難しい。
【考案が解決しようとする課題】
【０００３】  カメラが雨水に濡れることを防ぎ、また両手でカメラを操作できる。
【課題を解決するための手段】
【０００４】  雨天時カメラに専用の小型の傘をアタッチメントにより取りつけることにより、カメラを水濡れから防ぐ。
【考案を実施するための最良の形態】
【０００５】  傘本体は現在一般に使われている雨傘を縮小したもの（折りたたみできるもの）とし、取り付けはカメラの三脚を取り付けるネジ部を利用できる。モニター付きのカメラ以外ではファインダーを覗く必要があるので傘のシャフトは上下に伸縮する必要がある。
【考案の効果】
【０００６】  本考案は以上に説明したような構成により次のような効果を奏する。
雨天時のカメラ撮影時カメラの水濡れを防ぎ撮影を可能にすると共にカメラの雨水浸入による故障を防ぐ。又撮影操作を両手で行うことができ、手振れを防ぐことが出来る。
【図面の簡単な説明】
【図１】カメラ傘のモニター側正面図である。
【図２】カメラ傘の側面図である。
【符号の説明】
１  カメラ傘本体
２  カメラへの取り付けネジ部
３  カメラ
【図１】
0003149780.tif 000003
【図２】
0003149780.tif 000004
【手続補正書】
【提出日】平成21年1月14日(2009.1.14)
【手続補正１】
【補正対象書類名】実用新案登録請求の範囲
【補正対象項目名】全文
【補正方法】変更
【補正の内容】
【実用新案登録請求の範囲】
【請求項１】
カメラを使用しての撮影時に雨を防御し少しの雨なら撮影を可能にするとともにカメラへの雨水浸入による故障を防ぐカメラの傘で、傘は通常雨天時に人が使用する傘を小型化したもので、金属の骨組に防水布やビニールを組み合わせたもので傘の直径は２０ｃｍ程度で通常の傘と同様に折りたためる物でありこの傘をカメラに取り付ける手段はカメラの三脚取り付け用のネジ部を利用し固定するカメラの傘。
【手続補正２】
【補正対象書類名】明細書
【補正対象項目名】全文
【補正方法】変更
【補正の内容】
【考案の詳細な説明】
【考案の詳細な説明】
【技術分野】
【０００１】  本考案はすべてのカメラに使用でき、カメラを雨水浸入による故障から守るものでありまたレンズの水滴付着を防ぐもの。
【背景技術】
【０００２】  雨天時の撮影は雨傘をさしたり、雨の止むのを待って撮影するしかない。片手で雨傘を持ち他方の片手でカメラを操作するのはかなり困難であり、手振れして鮮明な画像は難しい。
【考案が解決しようとする課題】
【０００３】  カメラが雨水に濡れることを防ぎ、また両手でカメラを操作できる。
【課題を解決するための手段】
【０００４】  雨天時カメラに専用の小型の傘をアタッチメントにより取り付けることにより、カメラを水濡れから防ぐ。
【考案を実施するための最良の形態】
【０００５】  傘本体は現在一般に使われている雨傘を縮小したもの（折りたたみできるもの）とし、取り付けはカメラの三脚を取り付けるネジ部を利用できる。
【考案の効果】
【０００６】  本考案は以上に説明したような構成により次のような効果を奏する。
雨天時のカメラ撮影時カメラの水濡れを防ぎ撮影を可能にすると共にカメラの雨水浸入による故障を防ぐ。又撮影操作を両手で行うことができ、手振れを防ぐことが出来る。
【図面の簡単な説明】
【０００７】
【図１】カメラ傘のモニター側正面図である。
【図２】カメラ傘の側面図である。
【符号の説明】
【０００８】１  カメラ傘本体
２  カメラへの取り付けネジ部
３  カメラ
４  傘のシャフト（直径１０ミリ程度の金属パイプ）
【手続補正３】
【補正対象書類名】図面
【補正対象項目名】全図
【補正方法】変更
【補正の内容】
【図１】
0003149780.tif 000005
【図２】
0003149780.tif 000006